(57)【特許請求の範囲】
【請求項１】
中央部に配設する中央焼網部と、外周部に配設し前記中央焼網部を囲む外周焼網部とにより本体上部の焼網を構成し、前記中央焼網部を上下動自在に構成して、前記外周焼網部より前記中央焼網部を上昇し得るように構成したことを特徴とするコンロ。
【請求項２】
前記中央焼網部の高さを前記外周焼網部と略面一となる高さから所定高さまで無段階に調整し得るように上下動自在に構成したことを特徴とする請求項１記載のコンロ。
【請求項３】
前記中央焼網部を上下動調整する上下動調整機構を備え、前記中央焼網部を水平回動することで中央焼網部が上下動するように前記上下動調整機構を構成したことを特徴とする請求項１，２のいずれか１項に記載のコンロ。
【請求項４】
前記中央焼網部の下方に上下方向に螺旋状の上下動ガイド部を設け、この上下動ガイド部を支承することで前記中央焼網部を支承する支承部を前記本体に設けて、前記中央焼網部を水平回動することで前記支承部の前記上下動ガイド部を支承する位置が螺旋状に移動することで前記中央焼網部が上下動するように前記上下動調整機構を構成したことを特徴とする請求項１〜３のいずれか１項に記載のコンロ。
【発明の詳細な説明】
【０００１】
【発明の属する技術分野】
本発明は、例えば、本体上部に焼網を架設したバーベキューコンロや卓上コンロなどのコンロに関するものである。
【０００２】
【従来の技術及び発明が解決しようとする課題】
焼網を上下動する構成として、炭火などの火源からの距離を変え火力調整ができるコンロは、これまで様々なものが提案されているが、周囲の焼網によって強火で肉を焼きながら、中央の高くした焼網によって野菜などを弱火で焼ける焼肉調理に適した構造のものはない。
【０００３】
また、この焼網の高さ調整も簡単な操作で無段階調整できるものはない。
【０００４】
本発明は周囲に通常どおり強火で焼けるエリア（外周焼網部）と、その中央に高さ調整することでこれより弱火で焼けるエリア（中央焼網部）とを並設した構成とし、例えば肉と野菜とを同時に異なる火力で焼くことができたり、焼き上がった肉を保温しておいたりすることなどもでき、しかも、この弱火エリアを強火エリアで囲まれた中央に配することで、前述のように焼肉調整がし易く、また食べ易い構成となる画期的なコンロを提供することを目的としている。
【０００５】
また、本発明は中央に弱火エリアを配する構成としながら、この弱火エリアとなる中央焼網部の高さ調整（火力調整）が簡易な操作で調整できる画期的なコンロを提供することを目的としている。
【０００６】
【課題を解決するための手段】
添付図面を参照して本発明の要旨を説明する。
【０００７】
中央部に配設する中央焼網部１と、外周部に配設し前記中央焼網部１を囲む外周焼網部２とにより本体３上部の焼網を構成し、前記中央焼網部１を上下動自在に構成して、前記外周焼網部２より前記中央焼網部１を上昇し得るように構成したことを特徴とするコンロに係るものである。
【０００８】
また、前記中央焼網部１の高さを前記外周焼網部２と略面一となる高さから所定高さまで無段階に調整し得るように上下動自在に構成したことを特徴とする請求項１記載のコンロに係るものである。
【０００９】
また、前記中央焼網部１を上下動調整する上下動調整機構４を備え、前記中央焼網部１を水平回動することで中央焼網部１が上下動するように前記上下動調整機構４を構成したことを特徴とする請求項１，２のいずれか１項に記載のコンロに係るものである。
【００１０】
また、前記中央焼網部１の下方に上下方向に螺旋状の上下動ガイド部５を設け、この上下動ガイド部５を支承することで前記中央焼網部１を支承する支承部６を前記本体３に設けて、前記中央焼網部１を水平回動することで前記支承部６の前記上下動ガイド部５を支承する位置が螺旋状に移動することで前記中央焼網部１が上下動するように前記上下動調整機構４を構成したことを特徴とする請求項１〜３のいずれか１項に記載のコンロに係るものである。
【００１１】
【発明の実施の形態】
最も最良と考える本発明の実施の形態（発明をどのように実施するか）を、図面に基づいてその作用効果を示して簡単に説明する。
【００１２】
外周焼網部２に囲まれた中央焼網部１を上下動調整して、外周焼網部２の高さより中央焼網部１の高さを高くすることで、強火エリア（外周焼網部２）で囲まれた中央に弱火エリア（中央焼網部１）を設けることができる。
【００１３】
従って、外周の強火エリアで肉を焼きながら、同時に中央の弱火エリアで野菜を焼くことができる。
【００１４】
即ち、外周焼網部２の高さ調整によって、野菜などの低い温度で焼くものも焦げ目なく肉と一緒に焼くことができる。
【００１５】
また、肉を食べ切れず一時保温する場合にこの火力の弱い中央焼網部１に載せて保温しておくこともできる。
【００１６】
また、本発明は単にこの強火エリアと弱火エリアとのツーエリアを有するというだけでなく、強火エリアで囲まれた中央に弱火エリアを設けるため、エリアを横並びに並設する場合に比して、肉を野菜とを別々に焼くのではなく、あくまで、一枚ものも焼網の場合のように一緒に焼肉調理するイメージが守られる。
【００１７】
また、前述のように一時保温させるべく、弱火エリアの中央焼網部１に肉を載せる場合、強火エリアの外周焼網部２に囲まれた中央に載せるため、従来のように網の端部や焼網外に載せるのと違い、食べ残しとしてのイメージは全くなくなり、中央焼網部１が上昇していることもあいまって、あくまで出来上がって食することを勧める視覚作用も発揮される。
【００１８】
従って、強火で焼くものと弱火で焼くものを同時に焼くことができ、さらにこのように焼肉調理を一層美味しそうに楽しく行え、また、出来上がったものが中央に高くなっている中央焼網部１に載せることで取り易く、食べ易い画期的なコンロとなる。
【００１９】
また、この中央焼網部１は外周の外周焼網部２と面一状態から火が遠くなる所定高さまで上下動調整できるように構成することで、例えば面一状態として広くした焼網上で肉を焼いた後、食べ切れない肉を一時保温するため、その時は中央の中央焼網部１を上昇させて保温状態に切り替えることも可能となる。
【００２０】
また、この中央焼網部１の上下動調整も単に中央焼網部１を水平回動することで上下動調整するように構成することで、前記切り替えるも、またこの弱火エリアの火力調整も例えば網目に箸などを差し込んで中央焼網部１を回動操作するだけでよく、非常に簡単に無段階での上下動調整を行うことができ、極めて実用性に秀れたコンロとなる。
【００２１】
【実施例】
本発明の具体的な実施例について図面に基づいて説明する。
【００２２】
図１，図２に示す第一実施例では中央に上下動自在に中央焼網部１を設け、この中央焼網部１の外周を完全に囲むドーナツ状の外周焼網部２を設けて焼網を構成し、外周に強火エリアを設け、この強火エリアで囲んだ中央に弱火エリアが形成されるように構成している。
【００２３】
本実施例では、この中央焼網部１の高さを前記外周焼網部２と略面一となる高さから所定高さまで無段階に上下動調整する上下動調整機構４を設けているが、具体的には、中央焼網部１の下方に上下方向に螺旋状の上下動ガイド部５を設け、この上下動ガイド部５を支承することで前記中央焼網部１を支承する支承部６を本体３に設けて、この中央焼網部１を水平回動することで前記支承部６の前記上下動ガイド部５を支承する位置が螺旋状に移動することで中央焼網部１が上下動するように構成している。
【００２４】
更に説明すれば、炭火などの火源を収納し、上部に前記中央焼網部１，外周焼網部２を架設状態に配する本体３内の目皿部７にガイド筒８を立設し、このガイド筒８内にピン状の前記支承部６を突設している。
【００２５】
一方中央焼網部１には上下動ガイド部５としてコイルバネ状の螺旋杆５Ａを垂設し、この螺旋杆５Ａをガイド筒８内に嵌挿すると共にこの螺旋杆５Ａの任意位置が前記支承部６に支承されて中央焼網部１を支承保持するように構成している。
【００２６】
従って、本実施例では中央焼網部１を水平回動させることで、この中央焼網部１と共に螺旋杆５Ａがガイド筒８内で回動し、この螺旋杆５Ａが螺旋状となっているために支承部６による支承位置が移動することで中央焼網部１の高さが上下動するように構成している。
【００２７】
従って、この回動を停めた位置に中央焼網部１の上下動は停止することとなり、中央焼網部１を無段階に高さ調整できることとなる。
【００２８】
また、ガイド筒８内で上下動ガイド部５（螺旋杆５Ａ）を回動させるため、安定性良く中央焼網部１の回動操作が行え、中央焼網部１の高さ調整はスムーズとなる。
【００２９】
また、中央焼網部１の支柱となる上下動ガイド部（螺旋杆５Ａ）を挿入支承する支柱ガイドとしての前記ガイド筒８は、目皿部７の底部に貫通させて目皿部７に固着した構成とすることで、回動しても揺れることが少なく、一層安定したスムーズな回動操作による上下動調整を行うことができる。
【００３０】
尚、この螺旋杆５Ａはコイルスプリング状ではあるが剛体とし、支承部６に支承されるように構成している。
【００３１】
また、この支承部６は本実施例では、ガイド筒８に螺ボルトやビス６Ａを筒内へ螺着突設することで形成している。
【００３２】
また、図３に示す第二実施例では、中央焼網部１の支柱を螺旋杆５Ａではなく螺旋状板５Ｂで形成して上下動ガイド部５を垂設し、この上下動ガイド部５（螺旋状板５Ｂ）を挿入するガイド筒８を本体３に設け、このガイド筒８の上部に、中央焼網部１の支柱である螺旋状板５Ｂを挿入する支承用のスリット孔６Ｂを形成してこれを支承部６としたもので、第一実施例と同様の作用・効果を発揮する。
【００３３】
【発明の効果】
本発明は上述のように構成したから、周囲に通常どおり強火で焼けるエリア（外周焼網部）と、その中央に高さ調整することでこれより弱火で焼けるエリア（中央焼網部）とを並設した構成とし、例えば肉と野菜とを同時に異なる火力で焼くことができたり焼き上がった肉を保温しておいたりすることができ、しかも、この弱火のエリアを強火エリアで囲まれた中央に配することで、前述のように焼肉調整がし易く、また食べ易い構成となる画期的なコンロとなる。
【００３４】
即ち、本発明は単にこの強火エリアと弱火エリアとのツーエリアを有するというだけでなく、強火エリアで囲まれた中央に弱火エリアを設けるため、エリアを横並びに並設する場合に比して、肉を野菜とを別々に焼くのではなく、あくまで、一枚ものも焼網の場合のように一緒に焼肉調理するイメージが守られ、また、前述のように一時保温させるべく、弱火エリアの中央焼網部に肉を載せる場合、強火エリアの外周焼網部に囲まれた中央に載せるため、従来のように網の端部や焼網外に載せるのと違い、食べ残しとしてのイメージは全くなくなり、中央焼網部１が上昇していることもあいまって、あくまで出来上がって食することを勧める視覚作用も発揮されることとなり、焼肉調理を一層美味しそうに楽しく行え、また、出来上がったものが中央に高くなっている中央焼網部に載せることで取り易く、食べ易い画期的なコンロとなる。
【００３５】
また、請求項２記載の発明においては、中央の弱火エリアとなる中央焼網部の無段階上下動調整により火力の微調整を広範囲にわたって可能となり、また、例えば面一状態として広くした焼網上で肉を焼いた後、食べ切れない肉を一時保温するため、その時は中央の中央焼網部１を上昇させて保温状態に切り替えることも可能となるなど一層秀れたコンロとなる。
【００３６】
また、請求項３記載の発明においては、中央に弱火エリアを配する構成としながら、この弱火エリアとなる中央焼網部の高さ調整（火力調整）が簡易な操作で調整できる画期的なコンロとなる。
【００３７】
特に請求項４記載の発明においては、簡易な構成で実現でき、この中央焼網部の上下動調整も単に中央焼網部を水平回動することで上下動調整するように構成することで、前記切り替えるも、またこの弱火エリアの火力調整も例えば網目に箸などを差し込んで中央焼網部を回動操作するだけでよく、非常に簡単に無段階での上下動調整を行うことができ、極めて実用性に秀れたコンロとなる。
【図面の簡単な説明】
【図１】本実施例の（第一実施例）の説明斜視図である。
【図２】本実施例の（第一実施例）の要部の説明断面図である。
【図３】第二実施例の要部の説明断面図である。
【符号の説明】
１  中央焼網部
２  外周焼網部
３  本体
４  上下動調整機構
５  ガイド部
６  支承部
【図１】
0003593494.tif 000002
【図２】
0003593494.tif 000003
【図３】
0003593494.tif 000004